(57)【要約】【課題】表示装置を壁掛け設置する場合、表示装置の内部の温度上昇が大きくなり、表示装置の信頼性を損なう恐れがあった。【解決手段】表示装置１に設けた壁掛けスイッチ４は、表示装置１の背面に壁掛け金具３が取り付けられたことを検出する。壁掛けスイッチ４により表示装置１の設置状態が壁掛け状態であることを検出した場合、制御部１5は、冷却用ファンの回転速度を増加させる。これより、壁掛け状態での装置の温度上昇を抑える。【選択図】図３
2010145883.tif 000002
【特許請求の範囲】
【請求項１】
画像を表示する表示装置において、
前記表示装置が、該表示装置の背面と壁面との距離が所定距離の第１設置状態か、前記所定距離よりも短い第２設置状態かを検出するための設置状態検出器と、
前記表示装置を冷却するための冷却用ファンと、
前記冷却用ファンの回転速度を制御する制御部とを備え、
前記制御部は、前記設置状態検出器の検出結果に応じて、前記冷却用ファン回転速度を制御することを特徴とする表示装置。
【請求項２】
請求項１に記載の表示装置において、
前記第１設置状態は、前記表示装置を下方から支持するためのスタンドを用いて据え置き設置した据え置き設置状態であり、前記第２設置状態は、前記表示装置に壁掛け部材を設けて壁掛け設置した壁掛設置状態であることを特徴とする表示装置。
【請求項３】
請求項２に記載の表示装置において、
前記設置状態検出器は、前記壁掛け部材が前記表示装置への取り付けられた場合は当該表示装置が前記第２設置状態であると検出し、前記壁掛け部材が取り付けられていない場合は当該表示装置が前記第１設置状態であると検出することを特徴とする表示装置。
【請求項４】
請求項２に記載の表示装置において、
前記設置状態検出器は、前記スタンドが前記表示装置への取り付けられた場合は当該表示装置が前記第１設置状態であると検出し、前記スタンドが取り付けられていない場合は当該表示装置が前記第２設置状態であると検出することを特徴とする表示装置。
【請求項５】
請求項１に記載の表示装置において、
前記設置状態検出器は、前記表示装置の背面と壁面との間の間隔を測定するための距離センサであり、該距離センサにより測定された前記間隔が所定値を超えるときは当該表示装置が前記第１設置状態であると検出し、該距離センサにより測定された前記間隔が所定値以下のときは当該表示装置が前記第２設置状態であると検出することを特徴とする表示装置。
【請求項６】
請求項１に記載の表示装置において、
前記制御部は、前記設置状態検出器が前記第２設置状態を検出した場合は、前記第１設置状態を検出した場合よりも前記冷却用ファンの回転数を上げることを特徴とする表示装置。
【請求項７】
請求項５に記載の表示装置において、
前記第１設置状態に対応する第１回転数に関するデータと、前記第２設置状態に対応した回転数であって、前記第１回転数よりも高い第２回転数に関するデータとが予め定められており、
前記制御部は、前記設置状態検出器が前記第１設置状態を検出した場合は前記第１回転数に関するデータにより前記冷却用ファンの回転数を制御し、前記第２設置状態を検出した場合は前記第２回転数に関するデータより前記冷却用ファンの回転数を制御することを特徴とする表示装置。
【請求項８】
請求項６に記載の表示装置において、
前記表示装置の投入後、所定時間が経過した後に前記冷却用ファンを始動または前記冷却用ファンの回転数を上昇させるためのタイマーを更に備えたことを特徴とする表示装置。
【請求項９】
画像を表示する表示装置において、
前記表示装置の背面側に、壁掛け金具が取り付けられたことを検出する設置状態検出器と、
前記表示装置内部に配置された冷却用ファンと、
前記冷却用ファンの回転速度を制御する制御部とを備え、
前記制御部は、前記設置状態検出器の検出結果に応じて、前記冷却用ファン回転速度を制御する表示装置。
【請求項１０】
請求項９に記載の表示装置において、
上記制御部は、前記設置状態検出器により前記壁掛け金具が取り付けられたことが検出された場合は、検出されない場合に比べ、冷却用ファンの回転速度を上げるように制御することを特徴とする表示装置。
【請求項１１】
請求項９に記載の表示装置において、前記表示装置の壁掛け設置時に該表示装置の壁面に対する傾斜角が可変とされている場合、前記制御手段は、該傾斜角に応じてファン回転速度を制御することを特徴とする表示装置。
【請求項１２】
画像を表示する表示装置において、
前記表示装置に、該表示装置を下方から支持するためのスタンドが取り付けられたことを検出する設置状態検出器と、
前記表示装置内部に配置された冷却用ファンと、
前記冷却用ファンの回転速度を制御する制御部とを備え、
前記制御部は、前記設置状態検出器の検出結果に応じて、前記冷却用ファン回転速度を制御する表示装置。
【請求項１３】
請求項４に記載の表示装置において、
上記制御部は、前記設置状態検出器により前記スタンドが取り付けられたことが検出された場合は、検出されない場合に比べ、冷却用ファンの回転速度を下げるように制御することを特徴とする表示装置。
【請求項１４】
画像を表示する表示装置において、
前記表示装置が壁掛け設置状態か、据え置き設置状態かを検出するための設置状態検出器と、
前記表示装置を冷却するための冷却用ファンと、
前記冷却用ファンの回転速度を制御する制御部とを備え、
前記制御部は、前記設置状態検出器が前期壁掛け設置を検出した場合は、前記据え置き設置を検出した場合に比べて前記冷却用ファンの回転速度を上げるように制御することを特徴とする表示装置。
【発明の詳細な説明】
【技術分野】
【０００１】
本発明は、プラズマディスプレイパネル（ＰＤＰ）や液晶ディスプレイ（ＬＣＤ）等を用いて画像を表示する表示装置に係り、特に壁掛け設置状態における表示装置の温度上昇を抑えるのに好適な表示装置に関する。
【背景技術】
【０００２】
近年のテレビジョン受信機などの表示装置は、デジタルハイビジョン放送に対応して高画質化と大画面化が進められ、またそのような表示装置には、画像を表示するパネル表示部にＰＤＰやＬＣＤ等の薄型表示素子が用いられている。さらに表示装置の設置形態として、表示装置をテレビスタンドにてその下方から支持する据え置き形態だけでなく、壁掛け状態で使用する形態も知られている。
【０００３】
表示装置を据え置き設置及び壁掛け設置の両方に対応するための従来技術は、例えば特許文献１や特許文献２に開示されている。
【０００４】
【特許文献１】特開２００６−３３７７７６号公報
【特許文献２】特開２００６−３３７９８２号公報
【発明の開示】
【発明が解決しようとする課題】
【０００５】
表示装置（テレビセットまたは単にセットとも呼ぶ）は、上述のように表示パネルとしてのＰＤＰまたはＬＣＤ、それを駆動するための駆動回路及び電源回路などを備えているため、発熱量が大きくその内部は比較的高温となる。このため、セットを好適に冷却してセットの所望の表示性能及び安全性を確保する必要があるが、セットの設置状態に応じてセットの冷却効率が異なる場合がある。
【０００６】
例えば、テレビスタンドによる据え置き設置の場合、壁とテレビセット背面の隙間距離は最短でも約１０〜１５ｃｍであるが、壁掛け設置の場合は壁との隙間距離は、例えば約２〜３ｃｍ程度に接近して配置される。すなわち、壁掛け設置の場合は、据え置き設置に比べ、セット背面側における対流のための放熱空間（つまりセット背面と壁面との間の距離）が狭くセットの冷却効率が低下する。このため壁掛け設置の場合は、セット内の温度が許容温度以上に上昇し、表示装置の信頼性が低下する可能性がある。
【０００７】
上記特許文献１、２には、セットの壁掛け設置に伴うセットの温度上昇については考慮されていない。
【０００８】
本発明は、設置状態によらず、表示装置の温度上昇を抑制して表示装置の信頼性を向上させるのに好適な技術を提供する。
【課題を解決するための手段】
【０００９】
本発明は、表示装置が壁掛け設置か据え置き設置かを検出して表示装置内部の冷却用ファンの回転数を制御することを特徴とするものである。好ましくは、上記設置状態として壁掛け設置が検出された場合は、据え置き設置の場合に比べて表示装置内部の冷却用ファンの回転数を上昇させるように制御する。
【００１０】
上記表示装置の設置状態の検出は、壁掛け設置時に用いられる壁掛け部材の表示装置背面への取り付けを検出してもよく、また据え置き設置時に用いられるスタンドの表示装置への取り付けを検出してもよい。また、表示装置背面と壁面との距離を測定して設置状態を検出するようにしてもよい。
【発明の効果】
【００１１】
本発明によれば、冷却効率が低下する壁掛け設置時に冷却用ファンの回転数を上げることができ、据え置き設置のみならず、壁掛け設置時でも好適にセットを冷却することができる。また、据え置き設置時には冷却用ファンの回転数を下げることができ、冷却用ファンからの騒音を抑制することができる。
【発明を実施するための最良の形態】
【００１２】
以下、本発明の実施の形態について図面を参照しつつ説明する。
【００１３】
図１は、本発明に係る表示装置の２つの設置状態を示す図である。図１（ａ）は第１の設置状態である据え置き設置状態であり、表示装置（セット）１の下端部にテレビスタンド２の支持部２１を挿入し、テレビスタンド２によりセット１を下方から支持する場合である。この場合、幅が約３０ｃｍのスタンド２を使用すれば、セット１の背面と壁５との隙間Ｓは１０〜１５ｃｍ以上となる。
【００１４】
一方、図１（ｂ）は第２の設置状態である壁掛け設置状態であり、セット１を壁掛け部材である壁掛け金具３にて壁５に固定する場合である。この場合、セット１の背面と壁５との隙間Ｓは例えば２〜３ｃｍ程度となる。図１（ｂ）のように、壁掛け設置の場合には、セット１と壁面５との隙間（距離）Ｓ、すなわちセット１の放熱空間が非常に狭くなり、セット１の背面領域の冷却効率が悪化する。
【００１５】
本実施例に係る表示装置においては、表示装置１に設置状態検出器を設け、表示装置１が据え置き設置と壁掛け設置のどちらの設置状態であるかを検出可能にしている。
【００１６】
図２は、本発明の表示装置の一実施例を示す側面図および背面図である。図２（ａ）は表示装置（セット）１を壁掛け金具３に取り付ける前の状態を示す側面図、図２（ｂ）はセット１に壁掛け金具３を取り付けた状態を示す側面図、図２（ｃ）はセット１に壁掛け金具３を取り付けた状態を示す背面図である。壁掛け金具３は、例えば２本の支持フレーム３０からなり、セット１に取り付けネジ３１にて支持フレーム３０を取り付けた後、取り付け穴３２にて壁５に固定する。
【００１７】
本実施例の表示装置では、設置状態検出器として、セット１の背面には、壁掛け金具３（支持フレーム３０）が取り付けられたことを検出する壁掛けスイッチ４を設けている。一方壁掛け金具３には、壁掛けスイッチ４と対向する位置に壁掛けスイッチ４をＯＮ／ＯＦＦ作動させる突起部４０を設けている。突起部４０は支持フレーム３０に例えばネジを組み込んだものであり、ネジ先の突出量で壁掛けスイッチ４の動作点を適宜調整することができる。突起部４０は壁掛けスイッチ４に対応して１個設ければ良い。突起部４０が挿入されてこの壁掛けスイッチがＯＮした場合には、壁掛け設置と判断し、ＯＦＦ状態では、壁掛け金具３が取り付けられていないことから、テレビスタンド２が取り付けられているとして、据え置き設置と判断する。なお、本構成では突起部４０と支持フレーム３０は別部材であるが、突起部４０を支持フレーム３０に一体に形成してもよい。
【００１８】
図３は、本実施例に係る表示装置の回路構成の一例を示す図である。本実施例に係る表示装置１は、パネル表示部１１とこれを駆動するパネル駆動回路１２、パネル駆動回路１２を制御するＣＰＵ（中央処理回路）１４、それら全ての回路に電源を供給する電源回路１０、パネル駆動回路１２および電源回路１０などを冷却する冷却用ファン１３を備えている。ＣＰＵ１４は、パネル駆動回路１２や冷却用ファン１３などを制御する制御部１５と、制御データを格納するデータメモリ１９を有している。本実施例では、壁掛けスイッチ４からの検出信号を制御部１５に入力し、パネル駆動回路および電源回路の冷却用ファン１３の制御を行う。すなわち、壁掛けスイッチ４の信号からセット１が壁掛け状態であることを検出した場合、制御部１５は、冷却用ファン１３の回転速度を上げる。また、壁掛けスイッチ４にて壁掛け状態であることを検出されない場合は、据え置き状態と判断し、冷却用ファン１３の回転速度を変化させない。
【００１９】
図４は、ＰＤＰ表示装置の場合の背面側から見たレイアウト一例を示す図である。ＰＤＰ表示装置の場合は、前面にあるパネル表示部１１（ＰＤＰ）を駆動するパネル駆動回路１２は、Ｘサステイン回路１８ｘ、Ｙサステイン回路１８ｙ、アドレス回路１７を有している。アドレス回路１７は、所定のアドレス電極に壁電荷を蓄積させ、サステイン回路１８ｘ，１８ｙは発光を所定期間維持させる。デジタル信号回路１６には、前記ＣＰＵ１４を含んでいる。また、このデジタル信号回路１６は、外部から入力する画像信号、あるいは図示しないチューナーからの画像信号をパネル表示部１１の表示データに変換し、アドレス回路１７とＸ，Ｙサステイン回路１８ｘ，１８ｙに供給する。これらの回路には、電源回路１０にて必要な電圧を供給している。ＰＤＰ表示装置では、Ｘ，Ｙサステイン回路１８ｘ，１８ｙ及び電源回路１０が発熱源となる。これらの発熱源の近傍に冷却用ファン１３Ａ、１３Ｂ、１３Ｃがそれぞれ配置されている。
【００２０】
冷却用ファン１３Ａ、１３Ｂ、１３Ｃの回転速度については、予め壁掛け設置状態、および据置き設置状態での冷却用ファン１３Ａ、１３Ｂ、１３Ｃの回転速度と温度との関係を測定し、最適な冷却用ファン１３Ａ、１３Ｂ、１３Ｃの回転速度および供給電圧を決定しておく。壁掛けスイッチ４により、セット１の設置状態を判断し、冷却用ファン１３Ａ、１３Ｂ、１３Ｃの回転速度が最適値となるようにデジタル信号回路１６内の制御部１５が冷却用ファン１３Ａ、１３Ｂ、１３Ｃへの供給電圧を制御するようにしている。供給電圧の設定値はデータメモリ１９に格納する。
【００２１】
例えば５０型ＰＤＰにおいては、冷却用ファン１３Ａ、１３Ｂ、１３Ｃの回転速度を、スタンド取り付け時の据置き状態では約１８００ｒｐｍとし、壁掛け金具３取り付け時の壁掛け状態では約２２００ｒｐｍと制御することが好ましいことが本発明者らの検討により判明した。したがって、データメモリ１９には、各設置状態に対応する冷却用ファンの回転数と冷却用ファンの電圧設定値のデータとをそれぞれ関連付けて予め記憶させておき、これを壁掛けスイッチ４からの検出信号に応じて選択的に読み出して冷却用ファンへの供給電圧を調整して回転数を制御すればよい。
【００２２】
図５は、ＬＣＤ表示装置の場合の背面側から見たレイアウトの一例を示す。デジタル信号回路５３は、前記ＣＰＵ１４を含んでいる。また、このデジタル信号回路５３は、外部から入力する画像信号、あるいは図示しないチューナーからの画像信号をパネル表示部１１（ＬＣＤ）の表示データに変換する。デジタル信号回路５３からの映像信号を基にロジック回路５０は、パネル表示部１１（ＬＣＤ）を駆動している。すなわち、ＬＣＤ表示装置においては、パネル駆動回路１２はロジック回路５０である。インバーター回路５１は、バックライト点灯用電圧を生成している。これらの回路には、電源回路５０にて必要な電圧を供給している。ＬＣＤ表示装置の場合、発熱源は電源回路５０であるため、この電源回路５０近傍に冷却用ファン１３Ｄを配置している。
【００２３】
上記ＰＤＰ表示装置の場合と同様に、予め壁掛け設置状態、および据置き設置状態での冷却用ファン１３Ｄの回転速度と温度との関係を測定し、最適な冷却用ファン１３Ｄの回転速度および供給電圧を決定しておく。そして、上記と同様に、各設置状態に対応する冷却用ファンの回転数と冷却用ファンの設定電圧値のデータとをそれぞれ関連付けてデータメモリ１９に格納する。そして、壁掛けスイッチ４からの検出信号に基づき、セット１の設置状態に対応した設定電圧のデータをデータメモリ１９から読み出し、冷却用ファン１３Ｄの回転速度が最適値となるようにデジタル信号回路５３内の制御部１５が冷却用ファン１３Ｄへの供給電圧を制御する。
【００２４】
なお、ＬＣＤ表示装置の場合には、据置き設置状態においては、冷却用ファン１３Ｄを回転させなくても許容温度以下となるケースが多い。その場合は、スタンド取り付け時の据置き設置状態では冷却用ファン１３Ｄの回転を停止させ、壁掛け金具３取り付け時の壁掛け設置状態では冷却用ファン１３Ｄを回転させるようにしてもよい。
【００２５】
図６は、本実施例に係る表示装置の冷却用ファン回転速度制御処理のフローチャートである。
【００２６】
表示装置（セット）１の電源を投入すると、本処理を開始し（Ｓ１０１）、画像表示を開始すると同時に、Ｓ１０２でセット１の壁掛けスイッチ４からの信号（ＯＮ／ＯＦＦ信号）を検出する。Ｓ１０３で壁掛けスイッチ４の信号を判定し、スイッチがＯＮであれば壁掛け状態に設置されていると判定し、Ｓ１０４で制御部１５は冷却用ファン１３の回転速度を増加させる。スイッチがＯＦＦであれば据え置き状態に設置されていると判定し、Ｓ１０５で冷却用ファン１３を通常回転速度(据え置き状態での最適回転速度)で回転させる。
【００２７】
上記説明した実施例は基本的な構成・動作であり、さらに以下のような変形例が可能である。
〔変形例１〕設置状態検出器として、上記壁掛けスイッチ４の代わりに、セット１がテレビスタンド２に支持されているかどうかを検出するテレビスタンド検出器を用いてもよい。図７はテレビスタンド検出器の一例を図７に示す。セット下端部のテレビスタンド２の支持部２１が挿入される位置の近傍のパネル表示部１１側にピンホール２２を設け、パネル表示部１１と反対側にパネル表示部１１からの漏光を検出する光センサ（テレビスタンド検出器）２３を設ける。そして、支持部２１が挿入されることでパネル表示部１１から光センサ２３への漏光が遮断され、テレビスタンド２の有無を検出する構成としても良い。この場合は、光センサ２３にてテレビスタンド２の取り付けを検知した場合は、据置き設置状態と判断し、テレビスタンド２の取り付けを検知しなかった場合は、壁掛け設置状態と判断する。これ以降の処理の内容は上述したものと同様である。
〔変形例２〕図８は、セット１を壁５に傾斜して取り付けた場合の設置例および傾斜角θに応じたファン回転速度の制御を示した一例である。
【００２８】
図８（ａ）は、セット１を壁５に傾斜して取り付けた場合の図である。この場合、セット１の上部において壁５との隙間が広がり冷却効率が改善するため、図１（ｂ）の状態より温度上昇は少ない。そこで本変形例は、角度センサなどをセット１の内部に取り付け、この角度センサによりセット１の傾斜量（傾斜角θ）を検出し、例えば図８（ｂ）または（ｃ）に示されるように制御部１５により傾斜角が大きくなるに従い冷却用ファン１３の回転数を下げるように供給電圧を制御するようにしている。ここで、図８（ｂ）は傾斜角９０°で冷却用ファン１３の回転を止める例を示し、図８（ｃ）は冷却用ファン１３の回転数を、傾斜角０〜９０°の範囲で壁掛け設置時の最適回転速度から据え置き設置時の最適回転速度の間で変化させた場合を示している。必要に応じ、いずれかの制御特性を用いるようにしてもよい。このように、この変形例では、セット１の壁面に対する傾斜角に応じて冷却ファンの回転数を制御可能としており、冷却用ファン１３の回転速度をセット１の傾斜量（傾斜角）に応じて連続的または断続的に変化させる構成とすれば、きめ細かな冷却用ファン１３の回転速度の制御が可能となる。
〔変形例３〕設置状態検出器として、上記壁掛けスイッチ４の代わりに、セット１の背面から壁面までの距離を測定する距離センサをセット１の背面に設けてもよい。例えば距離センサで測定されたセット１の背面と当該背面と壁５との隙間Ｓが所定値（例えば２ｃｍ）以下である場合には、セット１が壁掛け設置状態であるものと検出或いは判別し、上記のように冷却用ファン１３の回転速度を据え置き設置状態に比べて上昇するように制御する。一方、距離センサで測定された上記間隔Ｓが所定値を超える場合には、セット１が据え置き設置状態であると検出或いは判別し、冷却用ファン１３の回転速度を通常値(据え置き設置状態での最適回転速度)とする。
〔変形例４〕さらに、セット電源投入直後は、通常、セット１内の温度が低いため、壁掛け設置状態を検出した場合でも、冷却用ファン１３は必ずしも始動あるいは回転速度を上げる必要はない。
【００２９】
よって、例えば図９（ａ）に示されるように、壁掛け設置時及び据え置き設置時の両方において、セット１の電源投入直後から所定時間（ｔ）内は冷却用ファン１３を停止させ、所定時間（ｔ）の経過後に冷却用ファンを始動させるようにしてもよい。また、図９（ｂ）に示されるように、壁掛け設置時は、セット１の電源投入直後から所定時間（ｔ）内は冷却用ファン１３の回転数を予め設定された壁掛け設置時の回転数よりも低くし、所定時間（ｔ）の経過後に冷却用ファンの回転数を上昇させて予め設定された壁掛け設置時の回転数としてもよい。
【００３０】
上記所定時間（ｔ）は図示しないタイマーによりカウントさせるようにすればよい。すなわち、セット１の電源投入にタイマーを起動させ、これが所定時間（ｔ）カウントしたときに制御部１５に制御信号を出力して上述した制御を行わせるように構成すればよい。
【００３１】
この変形例によれば、タイマーによりセット１の起動から所定時間（ｔ）の経過までは冷却用ファンの回転を停止するか或いは回転数を低下させるので、多くの冷却を要としないセットの電源投入直後直度においてはファンの動作を抑制し、冷却用ファン１３の回転による騒音を抑制することができる。
【００３２】
以上のように、本実施例の構成によれば、設置状態検出器により標示装置１の設置状態を検出し、壁掛け設置状態が検出された場合は制御部１５により冷却用ファン１３の回転数を（据え置き設置状態に比べて）上げるように制御するので、冷却効率が低下する壁掛け設置の場合でも好適に表示装置を冷却することができる。また、据え置き設置状態が検出された場合は、制御部１５により冷却用ファンの回転数を下げるように制御することもできる。よって、本実施例によれば、表示装置の設置状態によらず、特に壁掛け設置時の温度上昇を抑制して表示装置の信頼性を向上させることが可能となる。また、冷却用ファンの動作を抑えて冷却ファンから発生する騒音を低減することが可能となる。
【００３３】
本発明の表示装置は、ＰＤＰやＬＣＤなどの薄型表示素子を用いた壁掛け可能な表示装置に広く適用できる。
【図面の簡単な説明】
【００３４】
【図１】本発明に係る表示装置の２つの設置状態を示す図。
【図２】本発明に係る表示装置の一実施例を示す側面図および背面図。
【図３】本実施例に係る表示装置の回路構成の一例を示す図。
【図４】本実施例に係るＰＤＰ表示装置を背面側から見たレイアウト一例を示す図
【図５】本実施例に係るＬＣＤ表示装置を背面側から見たレイアウトの一例を示す図
【図６】本実施例の表示装置の冷却用ファン回転速度制御を示すフローチャート
【図７】スタンドセンサーの構成の一例を示す図
【図８】セット１を壁５に傾斜して取り付けた場合の設置例および傾斜角θに応じたファン回転速度の制御を示した一例を示す図
【図９】セットの起動直後における冷却用ファンの回転数制御の一例を示す図
【符号の説明】
【００３５】
１…表示装置（セット）
２…テレビスタンド
３…壁掛け金具
４…壁掛けスイッチ
５…壁
１０…電源回路
１１…パネル表示部
１２…パネル駆動回路
１３…冷却用ファン
１４…ＣＰＵ
１５…制御部
１６…デジタル信号回路
１７…アドレス回路
１８…サステイン回路
１９…データメモリ
２１…支持部
２２…ピンホール
２３…テレビスタンド検出センサ
３０…支持フレーム
３１…取り付けネジ
４０…突起部
５０…ロジック回路
５１…インバーター回路
５３…デジタル信号回路
【図１】
2010145883.tif 000003
【図２】
2010145883.tif 000004
【図３】
2010145883.tif 000005
【図４】
2010145883.tif 000006
【図５】
2010145883.tif 000007
【図６】
2010145883.tif 000008
【図７】
2010145883.tif 000009
【図８】
2010145883.tif 000010
【図９】
2010145883.tif 000011